(57)【要約】      （修正有）【課題】脚の引き伸ばし具について、足首部にしっかりと固着できて、身長に対応した長さの調整も容易で、かつ足首と股間との間の引き伸ばし力を使用者に対応して簡単に調整できるようにすることにある。【解決手段】足首と股間の間を引き伸ばす脚の引き伸ばし具であって、上記引き伸ばし具１をねじ棒の係合により伸縮機構９によって引き伸ばし具１の軸長方向に伸縮調整自在に形成して、その先端側に足首を固定するベルトやバンド等の足首固定具５を配設するとともに、その上部側に股間部に当接するサドル等の股間部当接具７を取り付け位置を調整可能に配設し、上記引き伸ばし具１の上端部を上記股間部当接具７よりも１０〜３０ｃｍ程長くしてその上端部に上記ねじ棒による伸縮機構９の伸縮用ハンドル８を操作自在に配設している。【選択図】図３
0003114387.tif 000002
【実用新案登録請求の範囲】
【請求項１】
足首と股間の間を引き伸ばす脚の引き伸ばし具であって、
上記引き伸ばし具をねじ棒の係合による伸縮機構によって引き伸ばし具の軸長方向に伸
縮調整自在に形成して、その先端側に足首を固定するベルトやバンド等の足首固定具を配
設するとともに、その上部側に股間部に当接するサドル等の股間部当接具を取り付け位置
を調整可能に配設し、上記引き伸ばし具の上端部を上記股間部当接具よりも１０〜３０ｃ
ｍ程長くしてその上端部に上記ねじ棒による伸縮機構の伸縮用ハンドルを伸縮操作自在に
配設したことを特徴とする脚の引き伸ばし具。
【請求項２】
サドル等の股間部当接具を支持材を介して引き伸ばし具の側部に配設して引き伸ばし具
の軸長方向にそって移動・固定可能に位置調整のクランプを配設するとともに、このクラ
ンプの固定・解除用の操作具を引き伸ばし具の上端部側に延設した請求項１に記載の脚の
引き伸ばし具。
【請求項３】
サドル等の股間部当接具を支持材に支持パイプを挿着して引き伸ばし具の側部に突き出
して配設し、この股間当接具を支持ハイプに角度調整可能に取着した請求項１または２に
記載の脚の引き伸ばし具。
【請求項４】
引き伸ばし具の伸縮機構のボールねじや角ねじのねじ棒の上端部にウォームギヤーを軸
着し、このウォームギヤーにウォームを係合してこのウォーム軸に伸縮用ハンドルを旋回
自在に取着した請求項１ないし３のいずれかに記載の脚の引き伸ばし具。
【請求項５】
引き伸ばし具の足首と股間の間を所定の弾性力で引き伸ばすように所定の弾性力の弾性
ばねを配設した請求項１ないし４のいずれかに記載の脚の引き伸ばし具。
【考案の詳細な説明】
【技術分野】
【０００１】
本考案は、整形分野における、特に脚の引き伸ばし具に関するものである。
【背景技術】
【０００２】
人は、性格、体格、病気など、遺伝子によって引き継がれる要因が大きいと言われてい
て、特に体長に顕著にあらわれる身長が低いと、スポーツや就職、結婚などにおいて不利
に取り扱われて悩むことがある。
また、日常生活の習慣や運動不足、栄養の偏りなどによって、Ｏ脚やＸ脚となって整形
が必要となる場合もある。
【０００３】
そのため、Ｏ脚やＸ脚を矯正できるように、実用新案登録第３０３３７００号公報、特
開平９−１９２１５１号公報、実用新案登録第３１０４４６１号公報、特開平１１−４７
２０３号公報などが提案されている。
実用新案登録第３０３３７００号公報は、背伸び座椅子で、背中と首を同時に伸ばせて
背中の伸ばしが有効で、姿勢の矯正をはかれることが開示されている。
【０００４】
また、特開平９−１９２１５１号公報には、Ｏ脚などの脚部を側部から押圧器で押圧し
て矯正することが開示されている。
またさらに、実用新案登録第３１０４４６１号公報には、エクササイズ用補助具を用い
て、筋肉ほぐし用ローラで足の筋肉をほぐし、折り畳み椅子を用いて脚の横ゆり運動をし
、足裏の経穴を刺激器具で刺激し、大腿四頭筋を伸ばし、腹筋運動をし、背筋用補助チュ
ーブを背筋運動して各関節や骨盤の歪みを直すことが開示されている。
しかし、上記のような器具では、直接的に脚部を引き伸ばして、Ｏ脚、Ｘ脚を有効に矯
正するものでない。
【０００５】
その点、特開平９−１９２１５１号公報は、足先と股間や両脇部間に伸縮杆を当接し、
直接的にこれらの間に拡張力を作用させて、関節部の矯正をはかれる健康器具を提示して
いる。
しかし、この健康器具では、足首部に保持部をしっかりと保持するのが容易ではなく、
また股間部に当接して伸縮杆の長さを調整するのも容易でなく、さらに伸縮杆をコイルば
ねで拡張して足と股間や両脇部の間を拡張するので、使用者の体格によってその拡張力の
調整が難しいものであった。
【特許文献１】実用新案登録第３０３３７００号公報
【特許文献２】特開平９−１９２１５１号公報
【特許文献３】実用新案登録第３１０４４６１号公報
【特許文献４】特開平１１−４７２０３号公報
【考案の開示】
【考案が解決しようとする課題】
【０００６】
本考案は、足首部にしっかりと固着できて、身長に対応した長さの調整も容易で、かつ
足首と股間との間の引き伸ばし力を使用者に対応して簡単に調整できるようにすることに
ある。
【課題を解決するための手段】
【０００７】
本考案は、上記のような点に鑑みたもので、上記の課題を解決するために、足首と股間
の間を引き伸ばす脚の引き伸ばし具であって、上記引き伸ばし具をねじ棒の係合による伸
縮機構によって引き伸ばし具の軸長方向に伸縮調整自在に形成して、その先端側に足首を
固定するベルトやバンド等の足首固定具を配設するとともに、その上部側に股間部に当接
するサドル等の股間部当接具を取り付け位置を調整可能に配設し、上記引き伸ばし具の上
端部を上記股間部当接具よりも１０〜３０ｃｍ程長くしてその上端部に上記ねじ棒による
伸縮機構の伸縮用ハンドルを伸縮操作自在に配設したことを特徴とする脚の引き伸ばし具
を提供するにある。
【０００８】
また、サドル等の股間部当接具を支持材を介して引き伸ばし具の側部に配設して引き伸
ばし具の軸長方向にそって移動・固定可能に位置調整のクランプを配設するとともに、こ
のクランプの固定・解除用の操作具を引き伸ばし具の上端部側に延設した脚の引き伸ばし
具を提供するにある。
【０００９】
さらに、サドル等の股間部当接具を支持材に支持パイプを挿着して引き伸ばし具の側部
に突き出して配設し、この股間当接具を支持ハイプに角度調整可能に取着した脚の引き伸
ばし具を提供するにある。
【００１０】
さらに、引き伸ばし具の伸縮機構のボールねじや角ねじのねじ棒の上端部にウォームギ
ヤーを軸着し、このウォームギヤーにウォームを係合してこのウォーム軸に伸縮用ハンド
ルを旋回自在に取着した脚の引き伸ばし具を提供するにある。
【００１１】
さらにまた、引き伸ばし具の足首と股間の間を所定の弾性力で引き伸ばすように所定の
弾性力の弾性ばねを配設した脚の引き伸ばし具を提供するにある。
【考案の効果】
【００１２】
本考案の、脚の引き伸ばし具は、引き伸ばし具をねじ棒の係合によるの伸縮機構によっ
て引き伸ばし具の軸長方向に伸縮調整自在に形成して、その先端側に足首を固定するベル
トやバンド等の足首固定具を配設するとともに、その上部側に股間部に当接するサドル等
の股間部当接具を取り付け位置を調整可能に配設することによって、引き伸ばし具の先端
部の足首固定具に足首を強固に固定でき、かつ股間部当接具を使用者の身長に対応した位
置に容易に調整して設置できる。
【００１３】
そして、上記引き伸ばし具の上端部を上記股間部当接具よりも１０〜３０ｃｍ程長くし
てその上端部に上記ねじ棒による伸縮機構の伸縮用ハンドルを伸縮操作自在に配設してい
ることによって、使用者の胸の前に伸縮用ハンドルが位置して伸縮用ハンドルをきわめて
容易に操作することができて、足首と股間部間の引き伸ばし量を容易に調整できる。
【００１４】
また、サドル等の股間部当接具を支持材を介して引き伸ばし具の側部に配設して引き伸
ばし具の軸長方向にそって移動・固定可能に位置調整のクランプを配設するとともに、こ
のクランプの固定・解除用の操作具を引き伸ばし具の上端部側に延設することによって、
上記伸縮用ハンドルと同様に胸の前でのクランプの操作具の操作で股間部当接具の位置を
調整したり、弛めたりすることができ、引き伸ばし量の調整がきわめて容易にできるとと
もに、装置の着脱がきわめて容易にできる。
【００１５】
さらに、サドル等の股間部当接具を支持材に支持パイプを挿着して引き伸ばし具の側部
に突き出して配設し、この股間当接具を支持パイプに角度調整可能に取着することによっ
て、股間部当接具を支持材を介して引き伸ばし具の側部に配設しても、使用者は股間部当
接具の取付角度を調整して固着した足首部に対して常に垂直状になるよう股間部当接具を
旋回して使用するようにできる。
【００１６】
またさらに、引き伸ばし具の伸縮機構のボールねじや角ねじのねじ棒の上端部にウォー
ムギヤーを軸着し、このウォームギヤーにウォームを係合してこのウォーム軸に伸縮用ハ
ンドルを旋回自在に取着することによって、伸縮用ハンドルを旋回すればウォーム軸を介
してウォームギヤーを旋回でき、引き伸ばし具の伸長機構を円滑に作動して伸縮すること
ができる。
【００１７】
さらに、引き伸ばし具の足首と股間の間を所定の弾性力で引き伸ばすように所定の弾性
力の弾性ばねを配設することによって、引き伸ばし具を所定の弾性力で引き伸ばせるとと
もに、さらに弾性力の引き伸ばし力を越えた強制力でもって引き伸ばすようにできる。
【考案を実施するための最良の形態】
【００１８】
本考案の脚の引き伸ばし具は、足首と股間の間を引き伸ばす脚の引き伸ばし具であって
、上記引き伸ばし具をねじ棒の係合による伸縮機構によって引き伸ばし具の軸長方向に伸
縮調整自在に形成して、その先端側に足首を固定するベルトやバンド等の足首固定具を配
設するとともに、その上部側に股間部に当接するサドル等の股間部当接具を取り付け位置
を調整可能に配設し、上記引き伸ばし具の上端部を上記股間部当接具よりも１０〜３０ｃ
ｍ程長くしてその上端部に上記ねじ棒による伸縮機構の伸縮用ハンドルを伸縮操作自在に
配設したことを特徴としている。
【００１９】
脚の引き伸ばし具１は、図１のようにやや太径のパイプ状の筒状体２にそれより細径の
パイプ材の筒状体３を伸縮可能に嵌装した８０〜１２０ｃｍ位の長さに形成していて、そ
の先端部に足首固定部４を配設して、非伸縮性の広幅のベルトやバンド等の足首固定具５
を配設して左右の足首部をそれぞれしっかりと固定するようにし、また中間部に支持材６
を介して一輪車や自転車のサドル等の股間部当接具７を側方に突き出すように配設してい
る。
【００２０】
そして、その引き伸ばし具１の上端部を上記股間部当接具７の位置よりも１０〜３０ｃ
ｍ程長くして、この上端部に伸縮用ハンドル８を配設し、伸縮用ハンドル８の操作によっ
て引き伸ばし具１を容易に伸縮調整できるようにしている。伸縮用ハンドル８の位置が、
上記の１０ｃｍよりも短いと下腹の近くになってハンドル操作がしにくく、また３０ｃｍ
を越えると顔の近くになって操作がしにくくなって好ましくない。
【００２１】
上記引き伸ばし具１の伸縮機構９としては、たとえば図２のように太径の筒状体２に所
定の長さのボールねじや角ねじのねじ棒１０を回転自在に内装し、細径の筒状体３の上部
側にナット状の雌ねじ１１を内装して上記ねじ棒１０に係合して挿着し、ねじ棒１０の上
端部にウォームギヤー１２を軸着し、ウォームギヤー１２にウォーム軸１３を係合してこ
のウォーム軸１３に伸縮用ハンドル８を装着し、伸縮用ハンドル８を旋回することによっ
て２〜５ｍｍの所定のピッチとしたねじ棒１０を細径の筒状体３に螺入出して引き伸ばし
具１を伸縮できるようにしている。１５は軸受、１６はギヤケースである。
好ましい。
【００２２】
また、股間部当接具７の支持材６は、図１のように筒状体２に摺動して移動可能に嵌装
した嵌装部１７に一体的に接合して側方に分岐状態として突き出していて、その嵌装部１
７にカムレバー等のクランプ１８を筒状体２の下方側に固定・解除可能に転倒自在として
配設し、特にこのクランプ１８に所定長さの棒やひも等の操作具１９を取り付けて、操作
具１９を介してクランプ１８を操作し、筒状体２にそって支持材６を簡単に移動して股間
部当接具７の位置を容易に調整し、図３のように股間部に設置しやすく、かつ股間部から
容易に取りはずしやすくしている。
【００２３】
なお、引き伸ばし具１の筒状体２は、直線状に形成したが、図４のように必要により使
用しやすく途中で折曲し、ねじ棒１０を傘歯車や自在継手の係合を介して接続したり、ま
た引き伸ばし具１の足首固定部４に所定の引っ張り用弾力性のコイルスプリングの弾性ば
ね２０を介挿し、この弾性ばね２０を介して所定の引き伸ばし力を足首と股間部に発生さ
せるようにし、さらに伸縮用ハンドル８で引き伸ばし具１を引き伸ばすと弾性ばね２０の
弾性力を越えて上記のように強制的に引き伸ばせるようにしている。なお、この弾性ばね
２０は、上記実施例にも装着することが好ましい。
【００２４】
また、伸縮用ハンドル８は、旋回操作するようにしたが、搖動自在のラチェットハンド
ルのレバー状としたり、足首固定具５は靴状体を装着して足首部を取着するなど本考案の
趣旨にもとづいて適宜の変形態様が実施できるものである。
【実施例】
【００２５】
図１〜図３は、本考案の実施例を示すものである。脚の引き伸ばし具１は、図１のよう
に全長をほぼ１００ｃｍの長さとして、２０〜３０ｍｍ径の筒状体２、３をそれぞれほぼ
６０ｃｍの長さとして１０〜２０ｃｍ位を重ね合わせて嵌合し、筒状体２に角ねじのねじ
棒１０をそのほぼ全長にわたって内装してその下部側を筒状体３の雌ねじ１１に係合し、
上端側にウォームギヤー１２、ウォーム軸１３を配設して伸縮用ハンドル８に係合して、
伸縮用ハンドル８を旋回してねじ棒１０を回動して引き伸ばし具１をほぼ１０〜２０ｃｍ
にわたって伸縮できるようにしている。
【００２６】
その下側の先端部には、足置き兼用の足首固定部４を筒状体３にＴ字状に取着し、この
足首固定部４の左右にやや広幅で太い伸縮性のないベルトをそれぞれ装着して広幅の布地
ベルトの一部にベルベットファスナーの係脱具を取着した足首固定具５を縫着して形成し
、この足首固定具５を左右の足首部にそれぞれ密接してしっかりと巻回して足首固定部４
に固着できるようにしている。
【００２７】
また、上記筒状体２の下部側に一輪車用のサドルの股間部当接具７をパイプ状の支持パ
イプ２１を介して短管の支持部６に嵌装して股間部当接具７を側方に突き出して嵌装部１
７を介して筒状体２に移動可能に支持しているとともに、嵌装部１７に細い棒の操作具１
９を取り付けたカムレバーのクランプ１８を転倒可能に配設して股間部当接具７を上下に
移動可能として容易に位置調整できるようにし、さらに自転車のサドルのように股間部当
接具７をボルト等の締弛具によって取付角度を可変に取着している。
【００２８】
そこで、図３のように使用者は、左右の足首部を足首固定具５でしっかりと巻回し、ク
ランプ１８を弛めて股間部当接具７を筒状体２にそって摺動して両足間の股間部に当接し
、クランプ１８の操作具１９を下方側へ押してクランプ１８を転倒して筒状体２にロック
し、図のように股間部当接具７よりも３０ｃｍ長くして胸の前に位置した伸縮用ハンドル
８を旋回してねじ棒１０を旋回し、引き伸ばし具１を引き伸ばして足首と股間との間を引
き伸ばしていく。無理な引き伸ばし力が生じない程度で約３〜１０分間位維持する。
【００２９】
このようにして１日３〜１０分間、１〜３ヶ月間にわたって使用すると、骨格部を刺激
して脚部を漸次長く伸ばせ、さらに１〜数年間続けていくことによってさらに脚部を長く
伸ばせて脚長の体裁のよい体型が得られる。
また、脚がＯ脚やＸ脚で悩んでいる人も、上記のように使用することで容易に直接的に
矯正でき、さらに股関節や亜脱臼などにも対応できて健康を回復することができる。なお
、脚部の伸長はできるだけ若年者が好ましい。また、使用は図３のように横になって行う
ことが安定して使用できて好ましい。
【００３０】
図４は、本考案の他の実施例で、引き伸ばし用の筒状体２を中間部で折曲してねじ棒１
０を傘歯車または自在継手で回転伝達自在に接続し、足首固定部４に所定の引っ張りの弾
性力のコイルスプリングの弾性ばね２０を装着したものである。本実施例では、引き伸ば
し具１の上部が胸元で折曲して離れるので、伸縮用ハンドル８を直接にねじ棒１０に取り
付けて旋回するようにでき、また弾性ばね２０を介して引き伸ばし力を作用でき、さらに
伸縮用ハンドル８を旋回することによって引き伸ばして弾性ばね２０の引き伸ばし力を越
えた強制力で引き伸ばすことができ、上記のように作用効果を奏するようにできる。
【図面の簡単な説明】
【００３１】
【図１】本考案の一実施例の側面図
【図２】同上の伸縮機構部の一部省略した拡大側断面図、
【図３】同上の使用例の側面図、
【図４】同上の他の実施例の側面図。
【符号の説明】
【００３２】
１…引き伸ばし具    ２…筒状体          ３…筒状体            ４…足首固定部
５…足首固定具      ７…股間部当接具    ８…伸縮用ハンドル  １８…クランプ
１９…操作具        ２０…弾性ばね
【図１】
0003114387.tif 000003
【図２】
0003114387.tif 000004
【図３】
0003114387.tif 000005
【図４】
0003114387.tif 000006